(57)【要約】【課題】  液体収容体に強い振動が作用したり、落下等による衝撃が作用した場合でも、液体収容部の液中に混入した気泡が液体供給部付近に設けられた液体終端センサに付着することを防止して、液体収容部の液体残量がゼロになったことを正確に検出することができる液体収容体を提供する。【解決手段】  本発明のインクカートリッジ（液体収容体）１は、容器本体３内に、インク収容部５と、インク供給部７と、インク収容部５に貯留したインクをインク供給部７に誘導するインク誘導路９と、大気連通孔４と、を備え、インク誘導路９の途中に、インク誘導路９への気体の流入を検知することでインク収容部５のインク残量がゼロになったことを検出するインク終端センサ１１を備えるとともに、インク終端センサ１１による検出位置とインク収容部５との間のインク誘導路９に、インクに混入した気泡を捕捉する気泡トラップ流路１３が設けられている。【選択図】  図１
2006248201.tif 000002
【特許請求の範囲】
【請求項１】
機器に装着される容器本体内に、液体収容部と、前記機器側の液体噴射部に接続される液体供給部と、前記液体収容部に貯留した液体を前記液体供給部に誘導する液体誘導路と、前記液体収容部内の液体の消費に伴って外部から大気を前記液体収容部内に導入する大気連通孔と、を備える大気開放タイプの液体収容体であって、
前記液体誘導路の途中に、当該液体誘導路への気体の流入を検知することで前記液体収容部の液体残量がゼロになったことを検出する液体終端センサを備えるとともに、
前記液体終端センサによる検出位置と前記液体収容部との間の前記液体誘導路に、液体に混入した気泡を捕捉する気泡トラップ流路が設けられていることを特徴とする液体収容体。
【請求項２】
請求項１に記載の液体収容体であって、
前記気泡トラップ流路は、液体の流れを垂直方向に方向変換する垂直方向変換部を有することを特徴とする液体収容体。
【請求項３】
請求項１または２に記載の液体収容体であって、
前記気泡トラップ流路は、液体の流れを水平方向に方向変換する水平方向変換部を有することを特徴とする液体収容体。
【請求項４】
請求項１から３の何れか一項に記載の液体収容体であって、
前記気泡トラップ流路は、流路断面を前後の流路位置よりも垂直上方に拡張した気泡捕集空間を有することを特徴とする液体収容体。
【請求項５】
請求項１から４の何れか一項に記載の液体収容体であって、
前記気泡トラップ流路は、水平方向に行き止まりの気泡捕集空間を有することを特徴とする液体収容体。
【請求項６】
請求項１から５の何れか一項に記載の液体収容体であって、
前記気泡トラップ流路の途中、または前記液体終端センサによる検出位置よりも上流の液体誘導路の途中に、気泡を捕捉する多孔質体が設けられていることを特徴とする液体収容体。
【請求項７】
請求項１から６の何れか一項に記載の液体収容体であって、
前記液体誘導路または前記気泡トラップ流路が接続された前記液体収容部の液体供給口は、直径が２ｍｍ以下の円形断面流路に形成されていることを特徴とする液体収容体。
【請求項８】
請求項１から６の何れか一項に記載の液体収容体であって、
前記気泡トラップ流路を構成する流路は、流路断面が矩形に形成されていることを特徴とする液体収容体。
【発明の詳細な説明】
【技術分野】
【０００１】
本発明は、例えばインクジェットプリンタに装着されるインクカートリッジとして好適な大気開放タイプの液体収容体に関する。
【背景技術】
【０００２】
インクジェットプリンタに装着されるインクカートリッジ（液体収容体）として、プリンタに装着される容器本体内に、インクを収容するインク収容部（液体収容部）と、プリンタ側の印刷ヘッド（液体噴射部）に接続されるインク供給部（液体供給部）と、インク収容部に貯留したインクをインク供給部に誘導するインク誘導路（液体誘導路）と、インク収容部内のインクの消費に伴って外部から大気をインク収容部内に導入する大気連通孔と、を備える大気開放タイプのものが各種提案されている。
【０００３】
また、このようなインクカートリッジには、圧電振動体を有するセンサを液体収容部内の基準高さに配置したインク残量検出機構が設けられているものがある（例えば、特許文献１参照）。
このインク残量検出機構は、印刷処理によるインク消費で液体収容部のインク液面が基準高さまで下がって、インクの消費に伴って大気連通孔から液体収容部に導入された外気がセンサの検出位置に到達すると、センサ周囲がインク液で満たされている場合とセンサ周囲に空気が接触している場合における振動特性（残留振動）の変化から、インクの液面が基準高さまで下がったことを検出するもので、検出信号がインクの残量表示やカートリッジ交換時期の通知に利用される。
【０００４】
ところで、大気開放タイプのインクカートリッジでは、インク消費に伴って大気連通孔から液体収容部に導入される外気が、カートリッジの着脱時に作用する衝撃等で微細な気泡となってインクの液中を浮遊する場合がある。そして、インクの液中を浮遊する気泡がセンサ表面に付着すると、付着した気泡が残留振動の変化を招いて、インクの有無が正確に検出できずインクの液面が下がったものと誤検出されてしまう虞がある。
そこで、このような誤検出を防止するために、センサの周囲をインクの通過を許容する微細な隙間を残して仕切壁で囲い、気泡が仕切壁で形成した隙間に到達した時に、隙間で発生するメニスカスの毛細管力で気泡のセンサ側への侵入を防いで、誤検出を防止する技術が知られている（例えば、特許文献２参照）。
【０００５】
【特許文献１】特開２００１−３２８２７８号公報
【特許文献２】特開２００４−１９５６５３号公報
【発明の開示】
【発明が解決しようとする課題】
【０００６】
ところで、プリンタ等の使用中にインクカートリッジの交換時期を正確に通知するためには、液体収容部内のインク残量がゼロになったときにそれを速やかに検知するように、プリンタ側へのインクの出口となる液体供給部の付近に、インクの有無を検出するセンサを設けることが有効である。
しかし、液体供給部の付近にセンサを設けても、インクに混入した気泡がセンサに付着することによって、液体収容部の液体残量がゼロになったと誤検出してしまうことがある。
【０００７】
そこで、液体供給部の付近にセンサを設けるとともに、そのセンサ側にインク中の気泡が到達しないように、特許文献２に記載された技術（メニスカスを利用した気泡の通過防止技術）を適用することが考えられる。
しかし、特許文献２に記載された技術では、例えば、色変更のために使用途中のカートリッジがプリンタから取り外されて保管されるような状況下で、プリンタから取り外されたカートリッジが強く振られたり、あるいは落下等による強い衝撃を受けた場合には、メニスカスによる毛細管力を超えて気泡がセンサ側に流入してしまう虞があり、誤検出防止に対する信頼性が低い。
【０００８】
また、例えば、寒冷地で液体収容体が使用されるような場合には、液体が凍結して膨張し、大気開放された大気連通孔から外部へ出てしまうことがある。そして、液体収容体が常温環境下に戻って凍結した液体が再び液化すると、外部の空気を大気連通孔から液体収容部内へと引き込んでしまう。このような場合にも、液体内に気泡が生じ、センサの誤検出を招く虞がある。
【０００９】
そこで、本発明の目的は、液体収容体に強い振動が作用したり、落下等による衝撃が作用した場合でも、液体収容部の液中に混入した気泡が液体供給部付近に設けられた液体終端センサに付着することを防止して、液体収容部の液体残量がゼロになったことを正確に検出することができる液体収容体を提供することにある。
【課題を解決するための手段】
【００１０】
上記課題を解決することのできる本発明に係る液体収容体は、機器に装着される容器本体内に、液体収容部と、前記機器側の液体噴射部に接続される液体供給部と、前記液体収容部に貯留した液体を前記液体供給部に誘導する液体誘導路と、前記液体収容部内の液体の消費に伴って外部から大気を前記液体収容部内に導入する大気連通孔と、を備える大気開放タイプの液体収容体であって、前記液体誘導路の途中に、当該液体誘導路への気体の流入を検知することで前記液体収容部の液体残量がゼロになったことを検出する液体終端センサを備えるとともに、前記液体終端センサによる検出位置と前記液体収容部との間の前記液体誘導路に、液体に混入した気泡を捕捉する気泡トラップ流路が設けられていることを特徴としている。
【００１１】
このような構成の液体収容体によれば、液体収容部から液体供給部へ向けて流れる液体誘導路に流入した液体中に浮遊する気泡は、液体誘導路中の液体終端センサによる検出位置よりも上流に設けられた気泡トラップ流路を通過する際に、液体から分離されて捕捉される。そのため、気泡が液体終端センサに流入することがない。したがって、液体収容部の液中に混入した気泡が液体供給部付近に設けられた液体終端センサに付着することがなく、液体供給部に流れる液体の終端（気液の境界）が液体終端センサを通過する前に、液体収容部の液体残量がゼロになったことを誤検出することがない。そのため、液体収容部の液体残量がゼロになったことを正確に検出することができる。
【００１２】
また、本発明に係る液体収容体において、前記気泡トラップ流路は、液体の流れを垂直方向に方向変換する垂直方向変換部を有することが好ましい。
【００１３】
このような構成の液体収容体によれば、流れを垂直方向に方向変換する垂直方向変換部で、液体中の気泡を分離する作用が働く。そのため、液体供給部に流れる液体は、液体終端センサにたどり着くまでに、気泡の捕捉処理を受けることで、混入している気泡が分離除去された状態になる。
【００１４】
また、本発明に係る液体収容体において、前記気泡トラップ流路は、液体の流れを水平方向に方向変換する水平方向変換部を有することが好ましい。
【００１５】
このような構成の液体収容体によれば、流れを垂直方向に方向変換する水平方向変換部で、液体中の気泡を分離する作用が働く。そのため、液体供給部に流れる液体は、液体終端センサにたどり着くまでに、気泡の捕捉処理を受けることで、混入している気泡が分離除去された状態になる。なお、垂直方向変換部と水平方向変換部とを適宜数組み合された構造とすることにより、液体供給部に流れる液体は気泡の捕捉処理を繰り返し受け、気泡がより確実に分離除去されるようになる。
【００１６】
また、本発明に係る液体収容体において、前記気泡トラップ流路は、流路断面を前後の流路位置よりも垂直上方に拡張した気泡捕集空間を有することが好ましい。
【００１７】
このような構成の液体収容体によれば、液体中に浮遊している気泡は、流路断面を垂直上方に拡張した気泡捕集空間に貯留され、該気泡捕集空間により大量の気泡をまとめて貯留することが可能になる。そして、気泡捕集空間に貯留された気体は、その前後の流路が気泡捕集空間の下方に位置しているため、使用途中で機器から取り外された液体収容体に強い振動が作用したり、落下等による衝撃が作用した場合でも、気泡捕集空間の外に流出し難い。また、一つの気泡捕集空間で、大量の気泡を貯留しておくことができる。
【００１８】
また、本発明に係る液体収容体において、前記気泡トラップ流路は、水平方向に行き止まりの気泡捕集空間を有することが好ましい。
【００１９】
このような構成の液体収容体によれば、液体供給部への流路から外れた行き止まりの気泡捕集空間が、液体中に浮遊している気泡を貯留し、大量の気泡をまとめて貯留することが可能になる。
【００２０】
また、本発明に係る液体収容体において、前記気泡トラップ流路の途中、または前記液体終端センサによる検出位置よりも上流の液体誘導路の途中に、気泡を捕捉する多孔質体が設けられていることが好ましい。
【００２１】
このような構成の液体収容体によれば、流路途中に設けられた多孔質体が、液体に混入した気泡を効率よく捕捉するため、気泡の捕捉効率を向上させることができ、気泡捕捉の信頼性を向上させることができる。
【００２２】
また、本発明に係る液体収容体において、前記液体誘導路または前記気泡トラップ流路が接続された前記液体収容部の液体供給口は、直径が２ｍｍ以下の円形断面流路に形成されていることが好ましい。
【００２３】
このような構成の液体収容体によれば、液体収容部からの液体出口となる液体供給口が、直径が２ｍｍ以下の円形断面流路となっていて、該液体供給口自体が、気泡の流出を防止するメニスカスの表面張力を発揮するため、気泡が液体収容部から液体終端センサ側へ流出すること自体を抑止することができ、気泡トラップ流路への負担を軽減して、液体終端センサへの気泡の付着防止に対する信頼性を向上させることができる。
【００２４】
また、本発明に係る液体収容体において、前記気泡トラップ流路を構成する流路は、流路断面が矩形に形成されていることが好ましい。
【００２５】
このような構成の液体収容体によれば、流路断面が矩形のため、円形断面の流路で形成する場合と比較して、並走する流路間に無駄なスペースが残らず、高密度に複雑な流路を形成することができ、また、樹脂成形により気泡トラップ流路を形成する場合でも、成形性が向上する。しかも、流路断面が矩形の場合は、円形断面の流路の場合と比較して、矩形の流路断面の隅部に流れの遅い淀み域が形成され、その内の上部の隅部は、流れの方向変換部で分離された気泡が溜まる気泡捕集空間として機能するため、気泡の捕捉作用も働くこととなる。
【発明の効果】
【００２６】
本発明に係る液体収容体では、液体収容部から液体供給部へ向けて流れる液体誘導路に流入した液体中に浮遊する気泡は、液体誘導路中の液体終端センサによる検出位置よりも上流に設けられた気泡トラップ流路を通過する際に、液体から分離されて捕捉される。そのため、気泡が液体終端センサ側に流入することがない。
したがって、液体収容部の液中に混入した気泡が液体供給部付近に設けられた液体終端センサに付着することがなく、液体収容部の液体残量がゼロになったことを誤検出せず正確に検出することができる。
【発明を実施するための最良の形態】
【００２７】
以下、本発明に係る液体収容体の実施の形態の例について、図面を参照しつつ詳細に説明する。
図１から図８は本発明に係る液体収容体の一実施の形態を示したものであって、図１は本発明の一実施の形態の液体収容体の概略斜視図であり、図２は図１に示した液体収容体の側面図であり、図３は図１に示した液体収容体内において液体が流れる経路を示す模式図であり、図４は図１に示した気泡トラップ流路の側面図であり、図５は図４に示した気泡トラップ流路の平面図であり、図６は図５のVI−VI線に沿う断面図であり、図７は図５のVII矢視図であり、図８は図７のVIII矢視図である。
【００２８】
本実施の形態の液体収容体は、インクジェット式プリンタにおいて、液体噴射部である印刷ヘッドが搭載されたキャリッジ上のカートリッジ装着部に装着されるインクカートリッジ１である。
このインクカートリッジ１は、機器（プリンタのカートリッジ装着部）に装着される容器本体３内に、インクを貯留するインク収容部（液体収容部）５と、機器（プリンタのカートリッジ装着部）側の印刷ヘッドに接続されるインク供給部（液体供給部）７と、インク収容部５に貯留したインクをインク供給部７に誘導するインク誘導路（液体誘導路）９と、インク収容部５内のインクの消費に伴って外部から大気をインク収容部５内に導入する大気連通孔４と、を備える大気開放タイプのインクカートリッジである。
【００２９】
本実施の形態の場合、インク誘導路９のインク供給部７に近接した位置には、当該インク誘導路９への気体の流入を検知することでインク収容部５のインク残量がゼロになったことを検出するインク終端センサ（液体終端センサ）１１が設けられている。
このインク終端センサ１１は、圧電振動体からなるセンサをインク誘導路９内に臨ませて配置したものであり、インクの消費に伴って大気連通孔からインク収容部５に導入された外気がセンサの検出位置に到達すると、インク誘導路９に面したセンサの周囲がインクで満たされている場合とセンサの周囲に空気が接触している場合における振動特性の変化から、インク残量がゼロになったことを検出する。
【００３０】
また、インク終端センサ１１による検出位置とインク収容部５との間のインク誘導路９の途中には、インクに混入した気泡を捕捉する気泡トラップ流路１３が設けられている。
【００３１】
この気泡トラップ流路１３は、図４及び図５に示すように、全体の概略構造としては、容器本体３の底部に収まる略直方体形状を成している。
この気泡トラップ流路１３は、図５に示すように、上面の略中央に、インク収容部５からインクが流入する入口１３ａが形成されるとともに、センサ側に位置する外側面に、インクを排出する出口１３ｂが形成されている。
【００３２】
この気泡トラップ流路１３は、図５及び図６に示すように、インクの流れを垂直方向逆向きに方向変換する複数の垂直方向変換部２１ａ〜２１ｇと、流れを水平方向に約９０度づつ方向変換する複数の水平方向変換部２３ａ〜２３ｆとが組み合されて、屈曲部の多い複雑な流路構造に形成されている。
そして、この気泡トラップ流路１３は、流路途中の数箇所に、流路断面を該気泡トラップ流路１３の出口端に採用される前後の流路の位置である標準流路断面位置Ａ（図６参照）よりも垂直上方に拡張した気泡捕集空間２４ａ〜２４ｃが形成されている。
図示した例の場合、気泡捕集空間２４ａ〜２４ｃの内では、一番下流側に位置する気泡捕集空間２４ｃが一番大きな容積に設定されている。
【００３３】
さらに、本実施の形態の気泡トラップ流路１３では、流路途中に、行き止まりの気泡捕集空間２５が形成されている。
【００３４】
また、気泡トラップ流路１３が接続される入口１３ａは、直径が２ｍｍ以下の円形断面流路に形成されている。なお、本実施の形態では、気泡トラップ流路１３がインク誘導路９の内のインク収容部５側の端部に位置しており、気泡トラップ流路１３の入口１３ａは、インク収容部５からインク誘導路９へのインク供給口（液体供給口）でもある。
【００３５】
さらに、本実施の形態において、気泡トラップ流路１３は樹脂の射出成形により形成したものであり、気泡トラップ流路１３を構成する各流路は、流路断面が矩形に設定されている。
【００３６】
以上説明したインクカートリッジ１では、使用途中でインクカートリッジ１が振られたり温度変化したりしてインク中に気泡が混入しても、インク収容部５からインク供給部７へ向けて流れるインク誘導路９に流入したインク中に浮遊する気泡は、インク誘導路９の途中に設けられたインク終端センサ１１による検出位置よりも上流に設けられた気泡トラップ流路１３を通過する際に、インクから分離されて捕捉される。そのため、気泡がインク終端センサ１１側に流入することがない。
したがって、インク収容部５のインク中に混入した気泡がインク供給部７付近に設けられたインク終端センサ１１に付着することがなく、インク収容部５のインク残量がゼロになったことを誤検出することなく、インク収容部５のインク残量がゼロになったこと（所謂インクエンド）を正確に検出することができる。
【００３７】
また、本実施の形態のインクカートリッジ１では、気泡トラップ流路１３が、流れを垂直方向に方向変換する複数の垂直方向変換部２１ａ〜２１ｇと、流れを水平方向に方向変換する複数の水平方向変換部２３ａ〜２３ｆとが組み合されることで、省スペースで立体的かつ複雑な流路構造を形成でき、それぞれの流れの方向変換部で、インク中の気泡を分離する作用が働く。そのため、インク供給部７に流れるインクは、インク終端センサ１１にたどり着くまでに、気泡の捕捉処理を繰り返し受けて、混入している気泡が完全に分離除去された状態になり、インク中に混入した気泡がインク終端センサ１１に付着することに起因した誤検出の発生を確実に防止することができる。
【００３８】
さらに、本実施の形態のインクカートリッジ１では、流れの方向変換部２１ａ〜２１ｇ，２３ａ〜２３ｆでインクから分離された気泡は、流路断面を前後の流路より垂直上方に拡張した気泡捕集空間２４ａ〜２４ｃや行き止まりの気泡捕集空間２５ａ，２５ｂに貯留され、これらの気泡捕集空間２４ａ〜２４ｃ，２５ａ，２５ｂにより大量の気泡をまとめて貯留することが可能になり、気泡捕集空間の容量不足による気泡の捕捉ミスの発生を無くすことができる。
【００３９】
また、気泡捕集空間２４ａ〜２４ｃに貯留された気体は、その前後の流路が気泡捕集空間の下方に位置しているため、使用途中で機器から取り外されたインクカートリッジ１に強い振動が作用したり、落下等による衝撃が作用した場合でも、気泡捕集空間の外に流出し難い。また、一つの気泡捕集空間で、大量の気泡を貯留しておくことができる。
さらに、万が一、一つの気泡捕集空間に貯留されている気体がインクカートリッジ１に作用する振動や衝撃により隣接流路に流出することがあっても、流出した気体は、その下流に位置した垂直方向変換部や行き止まりの気泡捕集空間によって再度捕捉または貯留されるため、インク終端センサ１１には到達し得ない。
したがって、使用途中で機器から取り外されたインクカートリッジ１に強い振動が作用したり、落下等による衝撃が作用した場合でも、インク収容部５の液中に混入した気泡がインク供給部７付近に装備されたインク終端センサ１１に付着することがなく、インク収容部５のインク液残量がゼロになったことを誤検出することなく、確実に検出することができる。
【００４０】
さらに、本実施の形態のインクカートリッジ１では、インク収容部５からのインク出口となるインク供給口（気泡トラップ流路１３の入口１３ａ）が、直径が２ｍｍ以下の円形断面流路となっていて、インク供給口（入口１３ａ）が、気泡の流出を防止するメニスカスを形成するため、気泡がインク収容部５からインク終端センサ１１側へ流出すること自体を抑止することができ、気泡トラップ流路１３への気泡捕捉の負担を軽減して、インク終端センサ１１への気泡の付着防止に対する信頼性を向上させることができる。
【００４１】
さらに、本実施の形態のインクカートリッジ１では、流路断面が矩形のため、円形断面の流路で形成する場合と比較して、並走する流路間に無駄なスペースが残らず、高密度に複雑な流路を形成することができ、また、樹脂成形により気泡トラップ流路１３を形成する場合でも、成形性が向上する。
しかも、流路断面が矩形の場合は、円形断面の流路の場合と比較して、矩形の流路断面の隅部に流れの遅い淀み域が形成され、その内の上部の隅部は、流れの方向変換部で分離された気泡が溜まる気泡捕集空間として機能するため、気泡の捕捉または捕集も容易になる。
【００４２】
なお、気泡トラップ流路１３の途中、またはインク終端センサ１１による検出位置よりも上流のインク誘導路９の途中に、気泡を捕捉する多孔質体が備えられていても良い。
このようにすると、流路途中に設けられた多孔質体が、インクに混入した気泡を微小な孔により効率よく捕捉するため、気泡の捕捉効率を向上させることができ、気泡捕捉の信頼性を向上させることができる。
【００４３】
このように、上記インクカートリッジ１は、様々な方向へ流路が変換され、様々な方向で気泡を捕捉または捕集できる構成となっているため、インクカートリッジ１を如何なる姿勢にした場合でも、インク終端センサ１１へ気泡が到達することが確実に防止される。そのため、インクエンドを正確に検出する精度が極めて高く、インクを残留させたままインクカートリッジ１を取り替えてしまうような不具合が防がれる。
【００４４】
なお、本発明に係る液体収容体の用途は、上記実施の形態に示したインクカートリッジに限らない。例えば、本発明の液体収容体は、液体噴射装置の液体噴射ヘッドに液体を供給するのに適したものである。ここで言う液体噴射装置としては、例えば、インクジェット式記録装置の液体噴射ヘッド（印刷ヘッド）、液晶ディスプレイのカラーフィルタを製造するカラーフィルタ製造装置の色剤噴射ヘッド、有機ＥＬディスプレイ、ＦＥＤ（面発光ディスプレイ）等の電極を形成する電極材（導電ペースト）噴射ヘッド、さらにはバイオチップを製造するバイオチップ製造装置の生体有機物噴射ヘッド及び精密ピペットしての試料噴射ヘッドなどが該当する。
【図面の簡単な説明】
【００４５】
【図１】本発明に係る液体収容体の一実施の形態の概略斜視図である。
【図２】図１に示した液体収容体の側面図である。
【図３】図１に示した液体収容体内において液体が流れる経路を示す模式図である。
【図４】図１に示した気泡トラップ流路の側面図である。
【図５】図４に示した気泡トラップ流路の平面図である。
【図６】図５のVI−VI線に沿う断面図である。
【図７】図５のVII矢視図である。
【図８】図７のVIII矢視図である。
【符号の説明】
【００４６】
１  インクカートリッジ（液体収容体）
３  容器本体
５  インク収容部（液体収容部）
７  インク供給部（液体供給部）
９  インク誘導路（液体誘導路）
１１  インク終端センサ（液体終端センサ）
１３  気泡トラップ流路
１３ａ  入口（液体供給口）
１３ｂ  出口
２１ａ〜２１ｇ  垂直方向変換部
２３ａ〜２３ｆ  水平方向変換部
２４ａ〜２４ｃ  気泡捕集空間
２５ａ，２５ｂ  行き止まりの気泡捕集空間
【図１】
2006248201.tif 000003
【図２】
2006248201.tif 000004
【図３】
2006248201.tif 000005
【図４】
2006248201.tif 000006
【図５】
2006248201.tif 000007
【図６】
2006248201.tif 000008
【図７】
2006248201.tif 000009
【図８】
2006248201.tif 000010